(57)【要約】      （修正有）【課題】バルブ制御の不具合による冷却不良を防止できる冷蔵システムを提供する。【解決手段】冷蔵ユニットから一又は複数のカート区画内に受容された複数のギャレーカートへと冷却空気を提供する供給ダクトを有する空気流供給システムを有する冷蔵システムは、カート区画内の複数のギャレーカートへの冷却空気の流れを制御するための複数のバルブを含み、複数のバルブは対応するギャレーカートに関連付けられている。複数の主要バルブ制御アクチュエータは、各々が対応するバルブに連結されており、かつ、第１動作モードにおいてこの対応するバルブをポジション変更させるよう構成されている。冷蔵システムは、複数のバルブのうちの少なくとも１つに連結された予備バルブ制御アクチュエータであって、第２動作モードにおいて複数のバルブのうちのこの少なくとも１つをポジション変更させるよう構成されている、予備バルブ制御アクチュエータを含む。【選択図】図４
2019090600.tif 000002
【特許請求の範囲】
【請求項１】
冷蔵ユニット（１１２）から一又は複数のカート区画（１０２）内に受容されている複数のギャレーカート（１０８）に冷却空気を提供する供給ダクト（１１６）を有する空気流供給システム（１１５）を有する、冷蔵システム（１００）であって、
前記一又は複数のカート区画（１０２）内の前記複数のギャレーカート（１０８）への前記冷却空気の流れを制御するための、前記空気流供給システム（１１５）内に連結された複数のバルブ（１４０）であって、各バルブが対応するギャレーカート（１０８）に関連付けられている、複数のバルブ（１４０）と、
複数の主要バルブ制御アクチュエータ（１４６）であって、各々が対応するバルブ（１４０）に連結されており、かつ、第１動作モードにおいて前記対応するバルブ（１４０）をポジション変更させるよう構成されている、主要バルブ制御アクチュエータ（１４６）と、
前記複数のバルブのうちの少なくとも１つ（１４０ａ）に連結されており、かつ、第２動作モードにおいて前記複数のバルブのうちの前記少なくとも１つ（１４０ａ）をポジション変更させるよう構成されている、予備バルブ制御アクチュエータ（１４６ｂ）とを備えている、冷蔵システム（１００）。
【請求項２】
前記主要バルブ制御アクチュエータのうちの少なくとも１つ（１４６ｂ）が、前記複数のバルブのうちの別の１つ（１４０ａ）のための前記予備バルブ制御アクチュエータ（１４６ｂ）を定義している、請求項１に記載の冷蔵システム（１００）。
【請求項３】
前記予備バルブ制御アクチュエータ（１４６ｂ）が、前記複数のバルブのうちの別の１つ（１４０ａ）のための主要バルブ制御アクチュエータ（１４６ｂ）を定義している、請求項１又は２に記載の冷蔵システム（１００）。
【請求項４】
前記複数のバルブ（１４０）がＮ個のバルブを含み、前記複数の主要バルブ制御アクチュエータ（１４６）がＮ個の主要バルブ制御アクチュエータ（１４６）を含み、前記予備バルブ制御アクチュエータが単一の予備バルブ制御アクチュエータを含む、請求項１から３のいずれか一項に記載の冷蔵システム（１００）。
【請求項５】
前記複数の主要バルブ制御アクチュエータ（１４６ｂ〜１４６ｆ）の一部分が各々、前記バルブ（１４６ａ〜１４６ｆ）のうちの対応する２つに動作可能に連結されており、前記複数の主要バルブ制御アクチュエータ（１４６）のかかる一部分の各々が、前記第１動作モードにおいて前記対応する２つのバルブのうちの一方を動作可能にポジション変更させ、かつ、前記第２動作モードにおいて前記対応する２つのバルブのうちの他方を動作可能にポジション変更させる、請求項１から４のいずれか一項に記載の冷蔵システム（１００）。
【請求項６】
前記複数の主要バルブ制御アクチュエータ（１４６）の一部分が単一方向ソレノイド（１４６ａ、１４６ｇ）を含み、かつ、前記複数の主要バルブ制御アクチュエータの一部分は双方向性ソレノイド（１４６ｂ〜１４６ｆ）を含む、請求項１から５のいずれか一項に記載の冷蔵システム（１００）。
【請求項７】
前記バルブ（１４０）のうちの１つが第１バルブ（１４０ｂ）を含み、前記複数の主要バルブ制御アクチュエータ（１４６）のうちの１つが、前記第１バルブ（１４０ｂ）に連結された第１主要バルブ制御アクチュエータ（１４６ｂ）であって、前記第１バルブ（１４０ｂ）を第１動作ポジションへと動かすよう構成されている、第１主要バルブ制御アクチュエータ（１４６ｂ）を含み、前記予備バルブ制御アクチュエータ（１４６ｃ）は、前記第１バルブ（１４０ｂ）に連結されており、かつ、前記第１バルブ（１４０ｂ）を第２動作ポジションへと動かすよう構成されている、請求項１から６のいずれか一項に記載の冷蔵システム（１００）。
【請求項８】
前記複数の主要バルブ制御アクチュエータ（１４６）及び前記予備バルブ制御アクチュエータ（１４６ｂ）と制御通信するコントローラ（１４４）を更に備え、前記コントローラ（１４４）は、前記複数の主要バルブ制御アクチュエータ（１４６）における不具合条件を特定するよう、かつ、前記予備バルブ制御アクチュエータ（１４６ｂ）を作動させるために動作モードを前記第１動作モードから前記第２動作モードへと自動的に変更するよう、設定されている、請求項１から７のいずれか一項に記載の冷蔵システム（１００）。
【請求項９】
前記複数のバルブ（１４０）の各々が、前記複数の主要バルブ制御アクチュエータ及び前記予備バルブ制御アクチュエータの群から選択された２つのバルブ制御アクチュエータ（１４６）に連結されており、かつ、前記２つのバルブ制御アクチュエータ（１４６）によって操作されるよう構成されている、請求項１から８のいずれか一項に記載の冷蔵システム（１００）。
【請求項１０】
前記複数の主要バルブ制御アクチュエータ（１４６）の各々と対応するバルブとの間、及び、前記予備バルブ制御アクチュエータと前記複数のバルブ（１４０）のうちの対応する少なくとも１つとの間に、機械的連結部を更に備える、請求項１から９のいずれか一項に記載の冷蔵システム（１００）。
【発明の詳細な説明】
【背景技術】
【０００１】
本開示は概して、航空機のギャレーのための冷蔵システムに関し、より詳細には、冷蔵システム用のバルブ制御システムに関する。
【０００２】
航空路線の食事は、典型的には、仕出し業者によって事前に準備される。１つの手法としては、仕出し業者は、個別の食事を大量に準備し、これらの食事を冷蔵ロッカー内に保管する。フライトの準備中に、仕出し業者は、必要な数量の食事をロッカーから取り出し、これらの食事を航空機のギャレーカートに入れる。仕出し業者は次いで、ギャレーカートを航空機に搬送し、ギャレー内に食事を搬入する。ギャレーは、典型的には、複数の冷蔵区画又は冷蔵ゾーンを含む。したがって、単一の区画内に一又は複数のギャレーカートが搬入されうる。
【０００３】
稼働中、従来型のギャレーは、典型的には、複数のダクトを介して区画又はゾーンの各々に冷却空気を供給する、単一の冷蔵ユニットを含む。ギャレーが、特定の空気流をいつでも必要なギャレーカートに導くよう個々のギャレーカートへの空気流を制御するためのバルブ及びバルブ制御システムを含むという、提案がなされてきた。例えば、空のギャレーカートへの空気流を止めることを可能にするバルブ制御システム、又は、急速に冷却される必要があるギャレーカート（例えば、航空機に到着したばかりのギャレーカート）により強い空気流を導くためのバルブ制御システムが、提案されている。バルブ制御システムにより、冷蔵システムの複雑性が増す。更に、バルブのうちの１つに関してバルブ制御が不具合を起こすか又は機能しなくなることにより、冷蔵システムがギャレーカートのうちの１つを冷却できなくなった場合、かかる不具合は、このバルブ制御を補修するためのフライトの出発遅延又は欠航をもたらしうる。
【発明の概要】
【０００４】
一実施形態により、冷蔵ユニットから一又は複数のカート区画内に受容された複数のギャレーカートに冷却空気を提供する供給ダクトを有する空気流供給システムを有する、冷蔵システムが提供される。この冷蔵システムは、一又は複数のカート区画内の複数のギャレーカートへの冷却空気の流れを制御するための、空気流供給システム内に連結された複数のバルブを含み、そこでは、複数のバルブの各バルブが対応するギャレーカートに関連付けられている。冷蔵システムは、複数の主要バルブ制御アクチュエータであって、各々が対応するバルブに連結されており、かつ、第１動作モードにおいてこの対応するバルブをポジション変更させるよう構成されている、主要バルブ制御アクチュエータを含む。冷蔵システムは、複数のバルブのうちの少なくとも１つに連結されており、かつ、第２動作モードにおいて複数のバルブのうちのこの少なくとも１つをポジション変更させるよう構成されている、予備バルブ制御アクチュエータを含む。
【０００５】
別の実施形態により、冷蔵ユニットから一又は複数のカート区画内に受容された複数のギャレーカートに冷却空気を提供する供給ダクトを有する空気流供給システムを有する、冷蔵システムが提供される。この冷蔵システムは、一又は複数のカート区画内の複数のギャレーカートへの冷却空気の流れを制御するための、空気流供給システム内に連結された複数のバルブを含む。複数のバルブの各バルブは、対応するギャレーカートに関連付けられている。冷蔵システムは、単一の対応するバルブに連結された単一の第１バルブ制御アクチュエータであって、第１動作モードにおいてこの対応するバルブをポジション変更させるよう構成され、かつ、第２動作モードにおいて対応するバルブに対して非稼働になるよう構成されている、単一の第１バルブ制御アクチュエータを含む。冷蔵システムは、単一の第１バルブ制御アクチュエータに関連付けられたバルブとは異なる単一の対応するバルブに連結された、単一の第２バルブ制御アクチュエータであって、第２動作モードにおいてこの対応するバルブをポジション変更させるよう構成され、かつ、第１動作モードにおいて対応するバルブに対して非稼働になるよう構成されている、単一の第２バルブ制御アクチュエータを含む。冷蔵システムは、複数のバルブのうちの少なくとも２つに連結された、複数の第１バルブ制御アクチュエータを含む。複数の第１バルブ制御アクチュエータは、第１動作モードにおいて、複数のバルブのうちのこの少なくとも２つのうち第１バルブをポジション変更させ、第２動作モードにおいて、複数のバルブのうちの少なくとも２つのうち第２バルブをポジション変更させる。
【０００６】
別の実施形態により、冷蔵ユニットから一又は複数のカート区画内に受容された複数のギャレーカートに冷却空気を提供する供給ダクトを有する空気流供給システムを有する、冷蔵システムが提供される。この冷蔵システムは、複数のギャレーカートのうちの第１ギャレーカートへの冷却空気の流れを制御するための、空気流供給システム内に連結された第１バルブと、複数のギャレーカートのうちの第２ギャレーカートへの冷却空気の流れを制御するための、空気流供給システム内に連結された第２バルブとを、含む。冷蔵システムは、第１バルブ及び第２バルブのポジションを制御するためのバルブ制御システムを含む。このバルブ制御システムは、第１動作モード及び第２動作モードにおいて動作可能である。バルブ制御システムは、バルブ制御システムに動作可能に連結された第１バルブ制御アクチュエータであって、第１バルブに連結されており、かつ、第１動作モードにおいて第１バルブをポジション変更させるよう構成されている、第１バルブ制御アクチュエータを含む。バルブ制御システムは、バルブ制御システムに動作可能に連結された第２バルブ制御アクチュエータであって、第２バルブに連結され、第１動作モードにおいて第２バルブをポジション変更させるよう構成されており、かつ、第１バルブに連結され、第２動作モードにおいて第１バルブをポジション変更させるよう構成されている、第２バルブ制御アクチュエータを含む。バルブ制御システムは、バルブ制御システムに動作可能に連結された第３バルブ制御アクチュエータであって、第２バルブに連結されており、かつ、第２動作モードにおいて第２バルブをポジション変更させるよう構成されている、第３バルブ制御アクチュエータを含む。
【０００７】
上述の特徴及び機能は、様々な実施形態において個別に実現されうるか、又は、更に別の実施形態において組み合わされうる。これらの実施形態の更なる詳細は、以下の説明及び図面を参照して理解可能である。
【図面の簡単な説明】
【０００８】
【図１】航空機の典型的なギャレー向けの、例示的な冷却システムの概略図である。
【図２】例示的な一実施形態による、ギャレーの側面図である。
【図３】例示的な一実施形態による、ギャレーの正面図である。
【図４】例示的な一実施形態による、冷蔵システム１００の一部分の概略図である。
【図５】例示的な一実施形態による、冷蔵システム１００の一部分の概略図である。
【発明を実施するための形態】
【０００９】
ある種の実施形態についての以下の詳細説明は、付随する図面と併せて読むことで、より良好に理解されよう。様々な実施形態は図面に示す構成及び手段に限定されないことを、理解すべきである。
【００１０】
本書において、単数で記載され、かつ、「１つの（ａ又はａｎ）」という語に続く要素又はステップは、この要素又はステップの複数形を除外することが明示的に記述されていない限り、かかる除外は行われないものであると、理解されるべきである。更に、「一実施形態（ｏｎｅ  ｅｍｂｏｄｉｍｅｎｔ又はａｎ  ｅｍｂｏｄｉｍｅｎｔ）」への言及は、記載されている特徴を同様に包含する追加の実施形態の存在を除外すると解釈されることを、意図するものではない。更に、ある特定の性質を有する一又は複数の要素を「備える（ｃｏｍｐｒｉｓｉｎｇ）」、又は「有する（ｈａｖｉｎｇ）」実施形態は、その性質を有していない追加のかかる要素を含みうる（そうではないことが明示的に記述されていない場合に限る）。
【００１１】
本書には、一又は複数のカート区画内のギャレーカートに冷却空気を供給するよう構成されている航空機用冷蔵システムの、様々な実施形態が記載されている。例えば、冷蔵システムは、対応するギャレーカートへの冷却空気の流れを制御するためのバルブを伴う、少なくとも１つの冷却空気供給ダクトを含む。様々な実施形態において、バルブのポジションを制御して空気流を制御するための、バルブ制御システムが提供される。バルブ制御システムは、バルブが機能停止状態にならないことを確実にし、ひいては、バルブ制御アクチュエータのうちの１つが機能しなくなった又は不具合を起こした場合にも、ギャレーカートが冷却空気流を受容できることを確実にするよう、種々のモードで動作可能である。
【００１２】
図１は、航空機１０６用の例示的な冷蔵システム１００の概略図である。冷蔵システム１００は、ギャレー１０４のカート区画１０２内に保持されているギャレーカート１０８を冷却するために使用される。ギャレー１０４は一又は複数のカート区画１０２を画定し、カート区画１０２は、典型的には、ギャレー１０４のカウンター１０５の下に配置される。ギャレー１０４は、航空機１０６の客室１１０の中に配置される。ギャレー１０４は、カート区画１０２、カウンター１０５、及びキャビネット又は保管棚にアクセスしうる、ギャレークルーのための作業エリアを有する。
【００１３】
本書において、カート区画とは、一又は複数のギャレーカートを保管するために利用される、航空機１０６上の隔離された空間である。ギャレーカートとは、本書においては、食品及び／又は飲料を提供する上で、仕出し業者から航空機１０６へと、又はカート区画１０２から航空機１０６の他の部分へと搬送される食品及び／又は飲料を保管するために使用される、可搬式のデバイスである。ギャレーカートは車輪を含みうるが、一部の実施形態では、一部のギャレーカートは、手で運ばれる箱であることもある。
【００１４】
ギャレー１０４は任意の数のカート区画１０２を含んでよく、航空機１０６は任意の数のギャレー１０４を含みうる。ギャレー１０４は、典型的には、航空機１０６のドア付近に（例えば、キャビン１１０の機首側及び／又は機尾側に）配置されるが、一部の実施形態では、キャビン中央部に位置することもある。各カート区画１０２は、任意の数のギャレーカート１０８を保持しうる。ギャレー１０４は、食品又は飲料の保管及び／又は準備のために使用されうる。
【００１５】
冷蔵システム１００は、カート区画１０２内のギャレーカート１０８に冷却空気を提供する、冷蔵ユニット１１２を含む。冷蔵ユニット１１２は、蒸発器、凝縮器、圧縮機、及び膨張バルブ（図示せず）を含みうるが、代替的な実施形態では、その他の種類の冷蔵ユニットも使用されうる。稼働中、冷媒（図示せず）が圧縮機により圧縮される。圧縮された冷媒は、より高温の蒸気として、圧縮機から送出される。この蒸気は凝縮器を通るように導かれ、凝縮器は、カート区画１０２及び／又はギャレーカート１０８からの還流空気から得られた熱を、蒸発器によって除去することにより、蒸気を液体に凝縮する。凝縮された蒸気は次いで、膨張バルブを通るように導かれ、圧縮機へと戻る。ゆえに、冷蔵ユニット１１２は、カート区画１０２及び／又はギャレーカート１０８から熱を除去することによって、カート区画１０２及び／又はギャレーカート１０８を冷却するか、又はそれらの温度を下げるよう、構成される。カート区画１０２及び／又はギャレーカート１０８を冷却するために、色々な種類の冷蔵ユニットが使用されうることを、認識すべきである。冷蔵ユニット１１２は、ギャレー１０４の内部又は付近に（例えば、航空機１０６のクラウン内のギャレー１０４の上部に）配置されうる。
【００１６】
冷蔵システム１００は、一又は複数の還流ダクト１１４を有する空気還流システム１１３と、一又は複数の供給ダクト１１６を有する空気流供給システム１１５とを、含む。空気流供給システム１１５は、冷蔵ユニット１１２によって供給される冷却空気を、供給ダクト１１６を通してカート区画１０２内のギャレーカート１０８へと導くよう、構成される。空気還流システム１１３は、カート区画１０２からの熱せられた空気又は排気を、還流ダクト１１４を通して冷蔵ユニット１１２へと還流させるよう、構成される。例示的な一実施形態では、供給ダクト１１６は、カート区画（複数可）１０２の一又は複数の放出位置（例えば、対応するギャレーカート１０８の上方、後方、又は付近）まで、ギャレー１０４内に通されている。例示的な一実施形態では、各カート区画１０２が、単一の供給ダクト１１６及び単一の還流ダクト１１４を含む。しかし、各カート区画１０２は、１を上回る数の空気供給ダクト１１６及び／又は１を上回る数の空気還流ダクト１１４を含みうることを、認識すべきである。様々な実施形態において、供給ダクト１１６は、カートの上方に空気が供給される構成になるように、カート区画１０２内に冷却空気を放出する。他の様々な実施形態においては、供給ダクト１１６は、カートを通って空気が供給される構成になるように、対応するギャレーカート１０８内に（例えば通気口内に）直接冷却空気を放出する。
【００１７】
例示的な一実施形態では、冷蔵システム１００は、供給ダクト１１６を通る空気流を制御するために、複数のバルブとこれらのバルブを制御するための複数のアクチュエータとを有する、バルブ制御システム１１８を含む。例えば、各供給ダクト１１６は、かかる供給ダクト１１６を通る空気流を制御するための、１つのバルブを含みうる。オプションで、供給ダクトは、種々のカート区画１０２及び／又はギャレーカート１０８に向かって開いている、複数の供給ポートを有しうる。各供給ポートは、かかる供給ポートを通る空気流を制御するために、対応する１つのバルブを含みうる。バルブは、ギャレーカート１０８への空気流を制御するために、対応するアクチュエータによって開放され、部分的に開放され、部分的に閉鎖され、かつ／又は閉鎖されうる。バルブは、完全開放と完全閉鎖との間の任意の動作ポジションで動作可能でありうる。バルブ制御システム１１８は、バルブを個別に制御するために個々のアクチュエータを制御し、ひいては、異なる流量で又は必要に応じて、ギャレーカート１０８に冷却空気流を供給しうる。例示的な一実施形態では、バルブは、供給ダクト１１６を通って流れる冷却空気を一定量減少させるために、部分的に開放されうるか又は部分的に閉鎖されうる。バルブは、システムを通る空気流を調節することが可能な任意の種類のバルブ（例えば、バタフライバルブ、シャッターバルブ、ボールバルブ、チョークバルブ、ダイヤフラムバルブ、ゲートバルブ、球形バルブ、及び、供給ダクト１１６を通って流れる冷却空気の量を制御するよう構成された類似のバルブ）でありうる。例示的な一実施形態では、バルブ制御システム１１８は、冷却空気の流れを制御するアクチュエータを電気により制御する。このアクチュエータは、下記で詳述するコントローラによって制御されうる。例えば、アクチュエータは、対応するバルブのポジション設定を制御するソレノイドでありうる。例示的な一実施形態では、バルブ制御システム１１８は、バルブが閉鎖できなくならないことを確実にし、かつ／又は、アクチュエータがバルブを閉鎖したままに保てなくならないことを確実にする、安全対策手段を含む。
【００１８】
図２は、例示的な一実施形態による、ギャレー１０４の側面図である。図３は、例示的な一実施形態による、ギャレー１０４の正面図である。ギャレー１０４は、底部１２１、上部１２２、正面部１２４、正面部１２４の反対側の後部１２６、及び両側部１２８、１２９（底部壁１２１、上部壁１２２、正面壁１２４、後部壁１２６、及び側壁１２８、１２９とも称されうる）を画定する、壁１２０又は仕切りを含む。図示している実施形態では、カウンター１０５が、底部１２１と上部１２２との間のおおよそ真ん中の高さで、側壁１２８、１２９の間に延在している。底部１２１は、航空機の客室のフロアによって画定されうる。後部１２６は、キャビンの中のギャレー１０４の配向に応じて、機首方向に面していても、機尾方向に面していてもよい。後部１２６は、乗客用エリアに面していることもある（例えば、乗客席が後部１２６の後ろや後部１２６の前方などに位置していることがある）が、代替的な実施形態では、後部１２６は隔壁（ｂｕｌｋｈｅａｄ）に当接して配置されうる。
【００１９】
カート区画１０２は、カウンター１０５の下に配置されており、ギャレー１０４の壁１２０によって少なくとも部分的に画定されうる。カート区画１０２は、対応するギャレーカート（複数可）１０８を受容するよう構成されたキャビティ１３０を画定する。例示的な一実施形態では、ギャレー１０４は、カート区画（複数可）１０２を閉鎖する正面部１２４のドア１３２を含む（右端のドアは開いた状態で、その他のドアは閉じた状態で図示されている）。ドア１３２は、カート区画１０２内にギャレーカート１０８を保持するために使用される。ドア１３２は、カート区画１０２内に冷却空気を保持するためにも使用されうる。ドア１３２は断熱を提供しうる。例示的な一実施形態では、ギャレーカート１０８がキャビティ１３０内に配置されている時に、ギャレーカート１０８の周囲（例えば、ギャレーカート１０８の前方、ギャレーカート１０８の後ろ、ギャレーカート１０８の上方など）には空間が画定される。オプションで、ギャレーカート１０８の周囲のこのスペース内では、空気が流れることが可能でありうる。
【００２０】
空気流供給システム１１５は、冷蔵ユニット１１２とカート区画（複数可）１０２内のギャレーカート１０８との間に供給ダクト１１６を含む。図示している実施形態では、供給ダクト１１６は、ギャレー１０４の後部１２６に沿って通されている。供給ダクト１１６は供給ポート１３６を含み、冷却空気は、供給ダクト１１６から、例えば、カート区画１０２内へ、又は直接ギャレーカート１０８内へと、供給ポート１３６を通って放出される。空気流供給システム１１３は、冷蔵ユニット１１２とカート区画（複数可）１０２内のギャレーカート１０８との間に還流ダクト１１４を含む。図示している実施形態では、還流ダクト１１４は、ギャレー１０４の後部１２６に沿って通されている。還流ダクト１１４は還流ポート１３８を含み、冷却空気は還流ポート１３８を通って、カート区画１０２から、又は直接ギャレーカート１０８から受容され、冷蔵ユニット１１２へと還流する。
【００２１】
空気流供給システム１１５は、供給ダクト１１６を通る空気流を制御するよう構成されている、複数のバルブ１４０を含む。空気還流システム１１３は、還流ダクト１１４を通る空気流を制御するよう構成されている、複数の還流バルブ１４２を含む。バルブ１４０、１４２は、システムを通る空気流の調節が可能な任意の種類のバルブとして実装されうる。例示的な一実施形態では、バルブ１４０、１４２は、バルブ制御システム１１８のコントローラ１４４によって制御されうる電気により作動するバルブとして、実装される。例えば、バルブ制御アクチュエータ１４６は対応するバルブ１４０に動作可能に連結され、バルブ制御アクチュエータ１４８は対応するバルブ１４２に動作可能に連結される。バルブ１４０、１４２は、完全開放構成、完全閉鎖ポジション、又は、完全開放と完全閉鎖との間の任意の動作ポジションのいずれかにおいて動作可能である。
【００２２】
例示的な一実施形態では、冷蔵システム１００は、各ギャレーカート１０８につき１つのバルブ１４０を含む。例えば、図示している実施形態では、冷蔵システム１００は、５つのギャレーカート１０８と、ギャレーカート１０８の各々に関連付けられた５つの対応するバルブ１４０とを含む。しかし、代替的な実施形態では、冷蔵システム１００は、任意の数のギャレーカート１０８及びバルブ１４０を含みうる。バルブ１４０は、上方空気型の冷却構成での、対応するギャレーカート１０８を取り囲んでいるカート区画１０２への冷却空気の供給と、空気通過型の冷却構成での、ギャレーカート１０８への直接的な冷却空気の供給のいずれかが可能になるよう、操作される。例示的な一実施形態では、バルブ制御システム１１８は、各ギャレーカート１０８につき１つの還流バルブ１４２を含む。しかし、バルブ制御システム１１８には任意の数の還流バルブ１４２が設けられうる。複数のバルブ１４０及び複数の還流バルブ１４２を使用することで、バルブ制御システム１１８が、ギャレーカート１０８に供給される冷却空気の分量を調節することが、可能になる。
【００２３】
冷蔵システム１００は、コントローラ１４４がカート区画１０２及び／又はギャレーカート１０８の温度を調節することを可能にするためにコントローラ１４４に情報を提供するよう構成されている、複数のセンサ１５０を更に含む。例えば、コントローラ１４４は、冷蔵システム１００を通る空気流を制御するために、バルブ制御アクチュエータ１４６及び／又はバルブ制御アクチュエータ１４８に動作可能に連結されうる。様々な実施形態において、センサ１５０は、例えば、コントローラ１４４がギャレーカート１０８の各々の動作温度を調整又は修正することを可能にするために、コントローラ１４４にリアルタイムフィードバックを提供する、温度センサを含みうる。様々な実施形態において、センサ１５０は、例えば、各カート区画１０２の中の温度を検知するために、カート区画１０２の各々内に複数の区画温度センサを含みうる。センサ１５０は、例えば、供給されている冷却空気の温度を検知するために、各供給ダクト１１６の中又は近位に（例えば供給ポート１３６に、又はその付近に）複数の空気流供給温度センサを含みうる。センサ１５０は、例えば、使用済みの又は暖められた冷却空気の温度を検知するために、各還流ダクト１１４の中又は近位に複数の空気還流温度センサを含みうる。センサ１５０は、例えば、供給されている冷却空気の圧力又は体積を検知するために、各供給ダクト１１６の中又は近位に、複数の空気流入圧力センサ（例えば流量計）を含みうる。センサ１５０は、例えば、各還流ダクト１１４の中又は近位に複数の空気還流圧力センサを含みうる。センサ１５０は、例えば、数ある動作機能の中でも、冷蔵ユニット１１２の圧縮機の動作スピードの引き下げ、及び／又は、供給ダクト１１６を通して空気を送っているファンの動作スピードの引き下げなどを行うために、冷蔵ユニット１１２の雑音レベルを（例えばデシベル単位で）検知する、冷蔵ユニット１１２の近位に設置された雑音センサを含みうる。
【００２４】
稼働中、上述のセンサ１５０からの出力がコントローラ１４４に入力される。一実施形態では、コントローラ１４４は、所定の温度に基づくカート区画１０２及び／又はギャレーカート１０８の中の温度の維持を容易にするために、センサ１５０からの入力を利用する。様々な実施形態において、オペレータがコントローラ１４４に入力を提供することを可能にするために、コントローラ１４４は、ギャレー１０４に（例えば、カウンター１０５の付近又は冷蔵ユニット１１２の近位に）装着される。コントローラ１４４はコンピュータとして具現化されうる。本書において、「コンピュータ（ｃｏｍｐｕｔｅｒ）」という語は、マイクロコントローラ、縮小命令セットコンピュータ（ＲＩＳＣ）、特定用途向け集積回路（ＡＳＩＣ）、フィールドプログラマブルゲートアレイ（ＦＰＧＡ）、論理回路、及び、本書に記載の機能を実行することが可能な他の任意の回路又はプロセッサ、を使用するシステムを含む、任意のプロセッサベース又はマイクロプロセッサベースのシステムを含みうる。上記の例は、例示的なものにすぎず、ゆえに、どのような様態でも、「コンピュータ」という語の定義及び／又は意味を限定することを意図するものではない。
【００２５】
様々な実施形態において、コントローラ１４４は、各カート区画１０２の中又は各ギャレーカート１０８の中を望ましい温度に維持するよう、動作可能である。したがって、コントローラ１４４は、上述のセンサ１５０からの入力を受信し、オペレータからの入力を受信し、かつ／又は、冷蔵ユニット１１２、ファン、及びギャレーカート１０８からの入力を受信するよう、設定されている。より具体的には、コントローラ１４４は、カート区画１０２のうちの１つ及び／又はそのギャレーカート１０８の内容物を第１所定温度に維持するため、及び、異なるカート区画１０２及び／又はギャレーカート１０８の内容物を、第１所定温度とは異なる第２所定温度に維持するために、オペレータによる入力を受信しうる。様々な実施形態において、内容物は、食品、飲料、及び／又は空気として具現化されうる。より具体的には、内容物が空気として具現化されている場合、カート区画１０２又はギャレーカート１０８は空であるとみなされ、ゆえに、空のカート区画１０２又はギャレーカート１０８に供給される冷却空気は、追加的な冷却空気が空ではないギャレーカート１０８に供給されることを可能にするために、低減されうるか、又は遮断されうる。これに応じて、コントローラ１４４は、様々なセンサ入力を評価し、かつ、ギャレーカート１０８を望ましい温度に維持するよう冷蔵ユニット１１２、ファン、又はその他の様々な構成要素を調整しうる。
【００２６】
様々な実施形態又はそれらの部分（コントローラ１４４など）は、ハードウェア、ソフトウェア、又はそれらの組み合わせにおいて実装されうることに、留意すべきである。様々な実施形態及び／又は構成要素（コントローラ１４４など）は、一又は複数のコンピュータ又はプロセッサの一部として実装されうる。コントローラ１４４は、ディスプレイ、入力デバイス、又はその他のユーザインターフェースがコントローラ１４４に接続することを可能にする、複数のポートを含みうる。更に、コントローラ１４４は、情報（ギャレーカート１０８からの入力など）がコントローラ１４４から送信されかつ／又はコントローラ１４４へと送信されることを可能にする、無線周波数（ＲＦ）送受信機を含みうる。コントローラ１４４は、ランダムアクセスメモリ（ＲＡＭ）及び読み取り専用メモリ（ＲＯＭ）を含みうる。コントローラ１４４は、記憶デバイスを更に含んでよく、この記憶デバイスは、ハードディスクドライブ又は取り外し可能な記憶ドライブ（例えば、固体状態ドライブや光ディスクドライブなど）でありうる。記憶デバイスは、コンピュータプログラム又はその他の命令をコントローラ１４４にローディングするための、他の類似の手段でもありうる。様々な他の実施形態において、コントローラ１４４は、例えばＷｉ−Ｆｉ接続又は有線接続を使用して、インターネットを介して入力を受信するよう設定されうる。加えて、コントローラ１４４は、ローカルエリアネットワーク（ＬＡＮ）に連結するよう、かつ、航空機に設置されているか航空機から遠隔に位置しているかのいずれかである様々なデバイスからの入力を受信するよう、設定されうる。更なる実施形態では、コントローラ１４４は、携帯電話デバイス又は他の任意の携帯式タッチスクリーンデバイス（例えば携帯式ラップトップコンピュータなど）から、入力を受信しうる。
【００２７】
コントローラ１４４は、入力データを処理するために、一又は複数の記憶素子に記憶されている一連の命令を実行する。これらの記憶素子は、所望又は必要に応じて、データ又はその他の情報も記憶しうる。記憶素子は、情報ソースという形態又は処理マシン内部の物理メモリ素子という形態でありうる。
【００２８】
一連の命令は、様々な実施形態の方法及びプロセスといった特定の動作を実施するよう、処理マシンであるコンピュータ又はプロセッサに命令を与える、様々なコマンドを含みうる。一連の命令はソフトウェアプログラムの形態でありうる。ソフトウェアは、システムソフトウェアやアプリケーションソフトウェアといった様々な形態であってよく、有形かつ非一過性のコンピュータ可読媒体として具現化されうる。更に、ソフトウェアは、別個のプログラム若しくはモジュールの集合体、より大きなプログラム内のプログラムモジュール、又はプログラムモジュールの一部分という形態でありうる。ソフトウェアは、オブジェクト指向性プログラミングの形態のモジュラープログラミングも含みうる。処理マシンによる入力データの処理は、オペレータのコマンドに応答するもの、又は、従前の処理の結果に応答するもの、又は、別の処理マシンによってなされたリクエストに応答するものでありうる。
【００２９】
本書において、「ソフトウェア（ｓｏｆｔｗａｒｅ）」という語と「ファームウェア（ｆｉｒｍｗａｒｅ）」という語は入れ替え可能であり、これらの語は、コンピュータによる実行のためのメモリ（ＲＡＭメモリ、ＲＯＭメモリ、ＥＰＲＯＭメモリ、ＥＥＰＲＯＭメモリ、及び非揮発性ＲＡＭ（ＮＶＲＡＭ）メモリを含む）に記憶されている、任意のコンピュータプログラムを含む。上記のメモリの種類は例示にすぎず、ゆえに、コンピュータプログラムを記憶するために使用可能なメモリの種類について限定するものではない。
【００３０】
図４は、例示的な一実施形態による冷蔵システム１００の一部分の概略図であり、供給ポート１３６に至る供給ダクト１１６内の空気流を制御してギャレー１０８を冷却するための、供給ダクト１１６、バルブ１４０、及びバルブ制御アクチュエータ１４６を含む空気流供給システム１１５を示している。例示的な一実施形態では、各バルブ１４０は対応するバルブ制御アクチュエータ１４６を有する。第１動作モード（例えば通常動作モード）において、バルブ制御アクチュエータ１４６は、主要バルブ制御アクチュエータとして機能する。例示的な一実施形態では、各バルブ１４０は、バルブ制御アクチュエータ１４６又はバルブ１４０のうちの一又は複数の稼働中に不具合が検出された場合に、第２動作モード（例えば不具合動作モード）においてバルブ１４０をポジション変更させるための、バルブ１４０に動作可能に連結された予備バルブ制御アクチュエータ１４６を有する。予備バルブ制御アクチュエータ１４６は、不具合が検出されても冷却空気の一部が供給ポート１３６を通って対応するギャレーカート１０８へと流れることができることを確実にするために、第２動作モードにおいて、対応するバルブ（複数可）１４０を少なくとも部分的に開放するよう操作される。予備バルブ制御アクチュエータ（複数可）１４６は、空気流供給システム１１５の安全対策手段として動作する。
【００３１】
図示している実施形態では、複数のバルブ１４０は、第１バルブ１４０ａ、第２バルブ１４０ｂ、第３バルブ１４０ｃ、第４バルブ１４０ｄ、第５バルブ１４０ｅ、及び第６バルブ１４０ｆを含むが、代替的な実施形態では、任意の数のバルブ１４０が設けられうる。図示している実施形態では、冷蔵システム１００は、第１バルブ制御アクチュエータ１４６ａ，第２バルブ制御アクチュエータ１４６ｂ、第３バルブ制御アクチュエータ１４６ｃ、第４バルブ制御アクチュエータ１４６ｄ、第５バルブ制御アクチュエータ１４６ｅ、第６バルブ制御アクチュエータ１４６ｆ、及び第７バルブ制御アクチュエータ１４６ｇを含むが、代替的な実施形態では、設けられたバルブ１４０の数に応じて、任意の数のバルブ制御アクチュエータ１４６が設けられうる。例示的な一実施形態では、冷蔵システム１００は、冷蔵システム１００内のバルブ１４０の全てに関して動作冗長性を可能にするために、バルブ１４０の数と比較して１つ多いバルブ制御アクチュエータ１４６を含む（例えば、Ｎ個のバルブ１４０とＮ＋１個のバルブ制御アクチュエータ１４６）。バルブ制御アクチュエータ１４６のいずれかが機能しなくなっても、冷蔵システム１００は予備バルブ制御アクチュエータを含んでいる。しかし、冷蔵システム１００は、各バルブ１４０につき２つのバルブ制御アクチュエータ１４６を有する費用をかけているわけではない（もし有していれば、冷蔵システム１００のコスト、冷蔵システム１００を稼働させるために必要なエネルギー、冷蔵システム１００の構成要素の重量、及びその他の欠点が、大幅に増大することになる）。様々な実施形態において、予備バルブ制御アクチュエータ１４６は、バルブ１４０の各々に動作可能に連結されうる。代替的な実施形態では、予備バルブ制御アクチュエータ１４６はバルブ１４０のうちの１つにだけ連結され、バルブ制御システム１１８は、下記で詳述するように、他のバルブ制御アクチュエータ１４６の動作状態を変更して予備バルブ制御アクチュエータにするよう、操作される。
【００３２】
図示している実施形態では、第１バルブ制御アクチュエータ１４６ａは、第１バルブ１４０ａに動作可能に連結されており、かつ、第１バルブ１４０ａのための主要バルブ制御アクチュエータ１４６ａとして動作する。第１バルブ制御アクチュエータ１４６ａは、第１動作モードにおいて第１バルブ１４０ａの動作を制御する。例えば、第１バルブ制御アクチュエータ１４６ａは、バルブ制御システム１１８が第１動作モードで動作している時に、第１バルブ１４０ａを（例えば部分的又は完全に）開放するよう操作される。
【００３３】
図示している実施形態では、第２バルブ制御アクチュエータ１４６ｂは、第２バルブ１４０ｂに動作可能に連結されており、かつ、第２バルブ１４０ｂのための主要バルブ制御アクチュエータ１４６ｂとして動作する。第２バルブ制御アクチュエータ１４６ｂは、第１動作モードにおいて第２バルブ１４０ｂの動作を制御する。例えば、第２バルブ制御アクチュエータ１４６ｂは、バルブ制御システム１１８が第１動作モードで動作している時に、第２バルブ１４０ｂを（例えば部分的又は完全に）開放するよう操作される。
【００３４】
図示している実施形態では、第３バルブ制御アクチュエータ１４６ｃは、第３バルブ１４０ｃに動作可能に連結されており、かつ、第３バルブ１４０ｃのための主要バルブ制御アクチュエータ１４６ｃとして動作する。第３バルブ制御アクチュエータ１４６ｃは、第１動作モードにおいて第３バルブ１４０ｃの動作を制御する。例えば、第３バルブ制御アクチュエータ１４６ｃは、バルブ制御システム１１８が第１動作モードで動作している時に、第３バルブ１４０ｃを（例えば部分的又は完全に）開放するよう操作される。
【００３５】
図示している実施形態では、第４バルブ制御アクチュエータ１４６ｄは、第４バルブ１４０ｄに動作可能に連結されており、かつ、第４バルブ１４０ｄのための主要バルブ制御アクチュエータ１４６ｄとして動作する。第４バルブ制御アクチュエータ１４６ｄは、第１動作モードにおいて第４バルブ１４０ｄの動作を制御する。例えば、第４バルブ制御アクチュエータ１４６ｄは、バルブ制御システム１１８が第１動作モードで動作している時に、第４バルブ１４０ｄを（例えば部分的又は完全に）開放するよう操作される。
【００３６】
図示している実施形態では、第５バルブ制御アクチュエータ１４６ｅは、第５バルブ１４０ｅに動作可能に連結されており、かつ、第５バルブ１４０ｅのための主要バルブ制御アクチュエータ１４６ｅとして動作する。第５バルブ制御アクチュエータ１４６ｅは、第１動作モードにおいて第５バルブ１４０ｅの動作を制御する。例えば、第５バルブ制御アクチュエータ１４６ｅは、バルブ制御システム１１８が第１動作モードで動作している時に、第５バルブ１４０ｅを（例えば部分的又は完全に）開放するよう操作される。
【００３７】
図示している実施形態では、第６バルブ制御アクチュエータ１４６ｆは、第６バルブ１４０ｆに動作可能に連結されており、かつ、第６バルブ１４０ｆのための主要バルブ制御アクチュエータ１４６ｆとして動作する。第６バルブ制御アクチュエータ１４６ｆは、第１動作モードにおいて第６バルブ１４０ｆの動作を制御する。例えば、第６バルブ制御アクチュエータ１４６ｆは、バルブ制御システム１１８が第１動作モードで動作している時に、第６バルブ１４０ｆを（例えば部分的又は完全に）開放するよう操作される。
【００３８】
例示的な一実施形態では、第２バルブ制御アクチュエータ１４６ｂは双方向性アクチュエータである。本書において、双方向性アクチュエータとは、２つの異なるバルブ１４０に連結されており、第１動作モードで操作される時には一方のバルブ１４０に対して動作するよう構成され、かつ、第２動作モードで操作される時には他方のバルブ１４０に対して動作するよう構成されている、アクチュエータである。双方向性アクチュエータが、一方のバルブ１４０のための主要バルブ制御アクチュエータ、及び、他方のバルブ１４０のための予備バルブ制御アクチュエータを定義する。そのため、単一のアクチュエータが、動作モードに応じて、２つの異なるバルブに対して動作する。例示的な一実施形態では、双方向性アクチュエータは、２つの異なる方向（例えば反対向きの２つの方向）に可動な２つの電気子（ａｒｍａｔｕｒｅ）を有する、双方向性のリニアソレノイドであるが、代替的な実施形態では、他の種類の双方向性アクチュエータも使用されうる。例示的な一実施形態では、第２バルブ制御アクチュエータ１４６ｂは複数バルブ制御アクチュエータである。本書において、複数バルブ制御アクチュエータとは、対応する複数のバルブ１４０を開放及び／又は閉鎖するために、複数の異なるバルブに連結されており、かつ、複数のバルブ１４０を動作させるよう構成されている、アクチュエータである。双方向性アクチュエータは、複数バルブ制御アクチュエータの一種であるが、複数バルブ制御アクチュエータは、２を上回る数の異なるバルブ１４０に連結されうる。例えば、様々な実施形態において、複数バルブ制御アクチュエータは、例えば連結部又はその他の機械的接続手段を通じて、バルブ１４０の全てに連結されうる。
【００３９】
第２バルブ制御アクチュエータ１４６ｂは、第１バルブ１４０ａに動作可能に連結されており、かつ、第１バルブ１４０ａのための予備バルブ制御アクチュエータ１４６ｂとして動作する。第２バルブ制御アクチュエータ１４６ｂは、第２動作モードにおいて第１バルブ１４０ａの動作を制御する。例えば、第２バルブ制御アクチュエータ１４６ｂは、バルブ制御システム１１８が（例えば機能しなくなった、又は不具合が検出された条件において）第２動作モードで動作している時に、第１バルブ１４０ａを（例えば部分的又は完全に）開放するよう操作される。
【００４０】
例示的な一実施形態では、第３バルブ制御アクチュエータ１４６ｃは複数バルブ制御アクチュエータである。例えば、図示している実施形態では、第３バルブ制御アクチュエータ１４６ｃは双方向性アクチュエータである。第３バルブ制御アクチュエータ１４６ｃは、第２バルブ１４０ｂに動作可能に連結されており、かつ、第２バルブ１４０ｂのための予備バルブ制御アクチュエータ１４６ｃとして動作する。第３バルブ制御アクチュエータ１４６ｃは、第２動作モードにおいて第２バルブ１４０ｂの動作を制御する。例えば、第３バルブ制御アクチュエータ１４６ｃは、バルブ制御システム１１８が（例えば機能しなくなった、又は不具合が検出された条件において）第２動作モードで動作している時に、第２バルブ１４０ｂを（例えば部分的又は完全に）開放するよう操作される。
【００４１】
例示的な一実施形態では、第４バルブ制御アクチュエータ１４６ｄは複数バルブ制御アクチュエータである。例えば、図示している実施形態では、第３バルブ制御アクチュエータ１４６ｃは双方向性アクチュエータである。第４バルブ制御アクチュエータ１４６ｄは、第３バルブ１４０ｃに動作可能に連結されており、かつ、第３バルブ１４０ｃのための予備バルブ制御アクチュエータ１４６ｄとして動作する。第４バルブ制御アクチュエータ１４６ｄは、第２動作モードにおいて第３バルブ１４０ｃの動作を制御する。例えば、第４バルブ制御アクチュエータ１４６ｄは、バルブ制御システム１１８が（例えば機能しなくなった、又は不具合が検出された条件において）第２動作モードで動作している時に、第３バルブ１４０ｃを（例えば部分的又は完全に）開放するよう操作される。
【００４２】
例示的な一実施形態では、第５バルブ制御アクチュエータ１４６ｅは複数バルブ制御アクチュエータである。例えば、図示している実施形態では、第３バルブ制御アクチュエータ１４６ｃは双方向性アクチュエータである。第５バルブ制御アクチュエータ１４６ｅは、第４バルブ１４０ｄに動作可能に連結されており、かつ、第４バルブ１４０ｄのための予備バルブ制御アクチュエータ１４６ｅとして動作する。第５バルブ制御アクチュエータ１４６ｅは、第２動作モードにおいて第４バルブ１４０ｄの動作を制御する。例えば、第５バルブ制御アクチュエータ１４６ｅは、バルブ制御システム１１８が（例えば機能しなくなった、又は不具合が検出された条件において）第２動作モードで動作している時に、第４バルブ１４０ｄを（例えば部分的又は完全に）開放するよう操作される。
【００４３】
例示的な一実施形態では、第６バルブ制御アクチュエータ１４６ｆは複数バルブ制御アクチュエータである。例えば、図示している実施形態では、第３バルブ制御アクチュエータ１４６ｃは双方向性アクチュエータである。第６バルブ制御アクチュエータ１４６ｆは、第５バルブ１４０ｅに動作可能に連結されており、かつ、第５バルブ１４０ｅのための予備バルブ制御アクチュエータ１４６ｆとして動作する。第６バルブ制御アクチュエータ１４６ｆは、第２動作モードにおいて第５バルブ１４０ｅの動作を制御する。例えば、第６バルブ制御アクチュエータ１４６ｆは、バルブ制御システム１１８が（例えば機能しなくなった、又は不具合が検出された条件において）第２動作モードで動作している時に、第５バルブ１４０ｅを（例えば部分的又は完全に）開放するよう操作される。
【００４４】
例示的な一実施形態では、第７バルブ制御アクチュエータ１４６ｇは単一方向性アクチュエータである。本書において、単一バルブ制御アクチュエータとは、単一のバルブ１４０にだけ連結されており、かつ、１つの動作モードにおいて単一のバルブ１４０を動作させるよう構成されている、アクチュエータである。単一バルブ制御アクチュエータは、単一方向に可動な１つの電気子を有する、単一方向リニアアクチュエータでありうる。第７バルブ制御アクチュエータ１４６ｇは、第６バルブ１４０ｆに動作可能に連結されており、かつ、第６バルブ１４０ｆのための予備バルブ制御アクチュエータとして動作する。第７バルブ制御アクチュエータ１４６ｇは、第２動作モードにおいて第６バルブ１４０ｆの動作を制御する。例えば、第７バルブ制御アクチュエータ１４６ｇは、バルブ制御システム１１８が（例えば機能しなくなった、又は不具合が検出された条件において）第２動作モードで動作している時に、第６バルブ１４０ｆを（例えば部分的又は完全に）開放するよう操作される。様々な実施形態において、第７バルブ制御アクチュエータ１４６ｇは、第２動作モードでのみ動作し、第１動作モードにおいては動作不可となる。例えば、第７バルブ制御アクチュエータ１４６ｇは、第１動作モードにおいて、第６バルブ１４０ｆに対して非稼働となる。
【００４５】
例示的な一実施形態では、第１バルブ制御アクチュエータ１４６ａは、単一バルブ制御アクチュエータであり、第１バルブ１４０ａにだけ動作可能に連結される。第１バルブ制御アクチュエータ１４６ａは、第１動作モードでのみ動作し、第２動作モードにおいては動作不可となる。例えば、第１バルブ制御アクチュエータ１４６ａは、第２動作モードにおいて、第１バルブ１４０ａに対して非稼働となる。
【００４６】
冷蔵システム１００は、バルブ制御アクチュエータ１４６のうちの１つが、ギャレーカート１０８を冷却するために対応するバルブ１４０を開放することができなくなった場合に、バルブ１４０向けの予備制御を提供するために、バルブ制御システム１１８における冗長性を提供する。例えば、冷蔵システム１００は、複数の主要バルブ制御アクチュエータ１４６と、少なくとも１つの予備バルブ制御アクチュエータ１４６とを含む。例示的な一実施形態では、バルブ制御アクチュエータ１４６のうちの少なくとも１つが、バルブ１４０のうちの１つのための主要バルブ制御アクチュエータと、バルブ１４０のうちの別の１つのための予備バルブ制御アクチュエータの両方として、動作可能である。例えば、バルブ制御システム１１８の動作モードが変化すると、主要バルブ制御アクチュエータは、予備バルブ制御アクチュエータへと機能が切り替わり、バルブ１４０のうちの別の１つを開放しうる。例示的な一実施形態では、バルブ１４０の各々は、１つの主要バルブ制御アクチュエータ及び１つの予備バルブ制御アクチュエータに、動作可能に接続される。例えば、第３バルブ１４０ｃは、主要バルブ制御アクチュエータとしての第３バルブ制御アクチュエータ１４６ｃに動作可能に連結され、かつ、予備バルブ制御アクチュエータとしての第４バルブ制御アクチュエータ１４６ｄにも動作可能に連結される。通常稼働において、第３バルブ制御アクチュエータ１４６ｃは、第３バルブ１４０ｃの動作を制御するが、バルブ制御アクチュエータ１４６のいずれかにおいて不具合が検出されると、バルブ制御システム１１８は不具合モードに切り替わりうる。不具合動作モード又は第２動作モードにおいては、第４バルブ制御アクチュエータ１４６ｄが第３バルブ１４０ｃの動作を制御する。例示的な一実施形態では、第２動作モードにおいて、第３バルブ制御アクチュエータ１４６ｃは、第２バルブ１４０ｂのための予備バルブ制御アクチュエータとして、第２バルブ１４０ｂの動作を制御する。同様に、第４バルブ制御アクチュエータ１４６ｄは、第１動作モードにおいて予備バルブ制御アクチュエータとして動作することはなく、むしろ、第４バルブ１４０ｄのための主要バルブ制御アクチュエータを定義する。
【００４７】
図示している実施形態では、６つのバルブ１４０が示されており、６つのバルブ制御アクチュエータ１４６が、主要バルブ制御アクチュエータを定義している。しかし、冷蔵システム１００は、第１動作モードにおいては予備バルブ制御アクチュエータとなる、第７バルブ制御アクチュエータを含む。複数の主要バルブ制御アクチュエータ１４６の各々は、第１動作モードにおいて、対応するバルブ１４０のうちの１つを動作可能にポジション変更させるために使用される。主要バルブ制御アクチュエータ１４６の一部又は全部は、第２動作モードにおいて、異なるバルブを動作可能にポジション変更させるために使用される。様々な実施形態において、主要バルブ制御アクチュエータ１４６が、対応するバルブ１４０を第１方向に動かすよう動作可能である一方、バイパスバルブ制御アクチュエータ１４６は、対応するバルブ１４０を、第１方向とは異なりうる（例えば反対方向の）第２方向に動かすよう、動作可能である。例えば、様々な実施形態において、バルブ１４０はバタフライバルブでありうる。主要バルブ制御アクチュエータが、バタフライバルブを第１方向（例えば時計回り）に回転させうる一方、予備バルブ制御アクチュエータは、このバタフライバルブを第２方向（例えば反時計回り）に回転させうる。例えば、バタフライバルブは第１動作ポジション（０°）で閉鎖されてよく、主要バルブ制御アクチュエータは、このバタフライバルブを第２動作ポジション（例えば９０°）まで回転させうる。予備バルブ制御アクチュエータは、バタフライバルブを第３動作ポジション（例えば−９０°）まで回転させてもよい。バタフライバルブが、このバタフライバルブを閉鎖させるための一又は複数のバネを含みうるのに対して、バルブ制御アクチュエータ１４６は、このバネの力を超えてバルブを動かすよう、バルブに力を伝達する。
【００４８】
例示的な一実施形態では、バルブ制御アクチュエータ１４６は、コントローラ１４４と制御通信するものであり、かつ、電気により制御されている。コントローラ１４４は、バルブ制御アクチュエータ１４６における不具合条件を特定するよう、かつ、予備バルブ制御アクチュエータ（複数可）を作動させるために動作モードを第１動作モード又は通常動作モードから第２動作モード又は不具合動作モードへと自動的に変更するよう、設定されている。第１動作モード又は第２動作モードでの作動中に、バルブ制御アクチュエータ１４６は直進的に作動しうる。あるいは、バルブ制御アクチュエータ１４６は回転的に作動しうる。バルブ制御アクチュエータ１４６は、機械的連結部（例えばロッド、リンク、ギア、バネなど）によって、バルブに接続されうる。他の様々な実施形態においては、バルブ制御アクチュエータ１４６は、その他の手段（例えば、液圧による連結、空圧による連結など）によって、バルブ１４０に動作可能に接続されうる。
【００４９】
稼働中、コントローラ１４４は、バルブ制御アクチュエータ１４６の動作をモニタする。例えば、コントローラ１４４は、バルブ制御アクチュエータ１４６の電子信号をモニタする。コントローラ１４４は、例えば電子信号にスパイク又はディップが存在した場合に、バルブ制御アクチュエータ１４６のうちの一又は複数の不具合を検出することが可能である。例えば、バルブ１４０又はバルブ制御アクチュエータ１４６のうちの１つが動かなくなった、又は適切に作動しなくなった時に、コントローラ１４４は、かかる不具合動作に関する信号を受信し、自動的に第２動作モードに入りうる。オプションで、コントローラ１４４は、バルブ制御アクチュエータ１４６の各々に、第２動作モードに入る前に不具合位置に戻るよう、信号を送りうる。例示的な一実施形態では、バルブ制御システム１１８が第２動作モードに入ると、コントローラ１４４は、バルブ制御アクチュエータ１４６に関連付けられるバルブ１４０を変更する。例えば、第３バルブ制御アクチュエータ１４６ｃは、第１動作モードでは通常第３バルブ１４０ｃに関連付けられているが、コントローラ１４４が、第３バルブ制御アクチュエータ１４６ｃのこの関連付けを第２バルブ１４０ｂへと変更することにより、第３バルブ制御アクチュエータ１４６ｃは、第２バルブ１４０ｂをポジション変更させることになる。
【００５０】
図５は、例示的な一実施形態による冷蔵システム１００の一部分の概略図であり、ギャレーカート１０８を冷却するよう供給ポート１３６に至る供給ダクト１１６内の空気流を制御するための、供給ダクト１１６、バルブ１４０、及びバルブ制御アクチュエータ１４６を含む空気流供給システム１１５を、示している。図５に示している冷蔵システム１００は、図４に示した冷蔵システム１００に類似しているが、第７バルブ制御アクチュエータ１４６ｇがバルブ１４０の各々に動作可能に連結されている。第７バルブ制御アクチュエータ１４６ｇが、他の主要バルブ制御アクチュエータの各々をバックアップするための、予備バルブ制御アクチュエータ１４６ｇを定義する。第１動作モードにおいては、第７バルブ制御アクチュエータ１４６ｇは、バルブ１４０のいずれに対しても、制御を行うよう操作されない。しかし、コントローラ１４４が不具合を検出し、第２動作モードへの切り替えを行うと、コントローラ１４４は、バルブ１４０の全てを開放するために第７バルブ制御アクチュエータ１４６ｇを動作させる。図５に示している構成において、第２動作モードではギャレーカート１０８への空気流の個別制御は失われる。しかし、冷却用空気流が、カート区画１０２及び／又はギャレーカート１０８の各々へと流れて不具合が発生したソレノイドが補修又は交換されうるまで、かかるギャレーカート１０８において冷却用空気流が確実に受容されることが、保証される。
【００５１】
図示している実施形態では、第１から第６のバルブ制御アクチュエータ１４６ａ〜１４６ｆの各々は、単一バルブ制御アクチュエータを定義しており、かつ、それぞれが単一のバルブ１４０に動作可能に連結されている。第１から第６のバルブ制御アクチュエータ１４６ａ〜１４６ｆの各々は、バルブ制御システム１１８が第１動作モードで動作している時に、対応するバルブ１４０ａ〜１４０ｆをポジション変更させるための、主要バルブ制御アクチュエータである。
【００５２】
上記の説明は、制限ではなく例示を意図していることを、理解されたい。例えば、上述の実施形態（及び／又はそれらの態様）は、互いに組み合わされて使用されうる。加えて、様々な実施形態の教示には、これらの範囲から逸脱することなく特定の状況又は材料に適応させるために、多数の改変が加えられうる。本書に記載の寸法、材料の種類、様々な構成要素の配向、並びに、様々な構成要素の数及び位置は、ある種の実施形態のパラメータを規定するためのものであって、決して限定的なものではなく、例示的な実施形態に過ぎない。上記の説明を精査することで、当業者には、特許請求の本質及び範囲に含まれる他の多くの実施形態及び改変が自明となろう。したがって、様々な実施形態の範囲は、付随する特許請求の範囲と共にかかる特許請求の範囲が認められる均等物の全範囲を参照して、決定されるべきである。付随する特許請求の範囲では、「含む（ｉｎｃｌｕｄｉｎｇ）」及び「そこで（ｉｎ  ｗｈｉｃｈ）」という語は、英語ではそれぞれ、「備える（ｃｏｍｐｒｉｓｉｎｇ）」及び「そこで（ｗｈｅｒｅｉｎ）」という語の明白な同義語として使用されている。更に、以下の特許請求の範囲では、「第１（ｆｉｒｓｔ）」「第２（ｓｅｃｏｎｄ）」、及び「第３（ｔｈｉｒｄ）」などの語は、単なる標識として使用されており、それらの対象物に数値的要件を課すことを意図するものではない。更に、以下の特許請求の範囲の限定は、ミーンズ・プラス・ファンクション形式で記述されているわけではなく、かかる特許請求の範囲の限定が、更なる構造を有さない機能についての記述が後続する「のための手段（ｍｅａｎｓ  ｆｏｒ）」という言い回しを明示的に使用しない限り、米国特許法第１１２条、段落６に基づいて解釈されることを意図するものではない。
【図１】
2019090600.tif 000003
【図２】
2019090600.tif 000004
【図３】
2019090600.tif 000005
【図４】
2019090600.tif 000006
【図５】
2019090600.tif 000007
【外国語明細書】
2019090600000001.pdf
2019090600000002.pdf
2019090600000003.pdf
2019090600000004.pdf